(57)【要約】【課題】  大量のメモリ容量を必要としないで大量発呼している端末を特定し、そこからの呼の設定要求を規制する規制方法、規制装置およびそのためのプログラム、ならびに呼設定装置を提供すること。【解決手段】  規制装置３０では、呼設定サーバ４０から測定開始依頼があった場合、測定部３１で単位時間当たりの呼設定確立のためのパケットの発呼量を測定し、規制対象リスト作成・更新部３２で前記測定した発呼量が予め決められた閾値を超過している場合に、規制対象としてその発アドレスを規制対象リストに記録更新し、規制実施部３４で規制対象リストに一定回数連続して掲載された発アドレスからの呼の設定要求を規制する。【選択図】      図３
2006114961.tif 000002
【特許請求の範囲】
【請求項１】
ＩＰ網におけるセッションを設定するアプリケーションの呼の設定要求の規制方法であって、
複数の端末から発呼された要求に対して、予め決められた時間ｔ内に到着する発呼量を測定するステップと、該測定ステップによって測定された発呼量に基づいて、規制対象となる端末を特定するステップと、該特定された端末からの発呼を規制する規制率を決定するステップと、前記予め決められた時間ｔの後、前記決定された規制率での規制を継続する規制継続時間を決定するステップと、前記決定された規制率および規制継続時間に基づいて前記特定された端末からの発呼を規制するステップと、前記規制継続時間後に前記規制を解除するステップとを有することを特徴とする呼の設定要求の規制方法。
【請求項２】
請求項１記載の呼の設定要求の規制方法において、
前記規制対象となる端末を特定するステップは、予め決められた時間ｔ内に到着する呼の設定要求を発端末毎に測定し、該発端末毎の設定要求数が予め設定された閾値を越えた場合に、該発端末を特定された端末のアドレスを、連続して閾値を越えた回数（以下、連続掲載回数という）とともに規制対象リストに登録するステップであることを特徴とする呼の設定要求の規制方法。
【請求項３】
請求項１または２記載の呼の設定要求の規制方法において、
前記規制継続時間として、予め定められた一定の継続時間、あるいは、予め定められた複数個の継続時間の中から周期毎に選択された継続時間が用いられることを特徴とする呼の設定要求の規制方法。
【請求項４】
請求項３記載の呼の設定要求の規制方法において、
前記予め定められた複数個の継続時間の中から周期毎に行われる継続時間の選択は、周期毎の前記時間ｔ内に測定された発呼量あるいは前記連続掲載回数に基づいて行われることを特徴とする呼の設定要求の規制方法。
【請求項５】
請求項２から４のいずれかに記載の呼の設定要求の規制方法において、
前記規制率は、周期毎の前記時間ｔ内に測定された発呼量あるいは前記連続掲載回数に基づいて行われることを特徴とする呼の設定要求の規制方法。
【請求項６】
請求項１から５のいずれかに記載の呼の設定要求の規制方法において、
前記予め決められた時間ｔ内に到着する発呼量の測定の開始および終了は、呼設定サーバからの依頼により行われることを特徴とする呼の設定要求の規制方法。
【請求項７】
ＩＰ網におけるセッションを設定するアプリケーションの呼の設定要求の規制装置であって、
複数の端末から発呼された要求に対して、予め決められた時間ｔ内に到着する発呼量を測定する測定手段と、該測定手段によって測定された発呼量に基づいて、規制対象となる端末を特定する手段と、該特定された端末からの発呼を規制する規制率を決定する手段と、前記予め決められた時間ｔの後、前記決定された規制率での規制を継続する規制継続時間を決定する手段と、前記決定された規制率および規制継続時間に基づいて前記特定された端末からの発呼を規制する手段と、前記規制継続時間後に前記規制を解除する手段とを有することを特徴とする呼の設定要求の規制装置。
【請求項８】
請求項７記載の呼の設定要求の規制装置において、
前記規制対象となる端末を特定する手段は、予め決められた時間ｔ内に到着する呼の設定要求を発端末毎に測定し、該発端末毎の設定要求数が予め設定された閾値を越えた場合に、該発端末を特定された端末のアドレスを、連続して閾値を越えた回数（以下、連続掲載回数という）とともに規制対象リストに登録する手段であることを特徴とする呼の設定要求の規制装置。
【請求項９】
請求項７または８記載の呼の設定要求の規制装置において、
前記規制継続時間として、予め定められた一定の継続時間、あるいは、予め定められた複数個の継続時間の中から周期毎に選択された継続時間が用いられることを特徴とする呼の設定要求の規制装置。
【請求項１０】
請求項９記載の呼の設定要求の規制装置において、
前記予め定められた複数個の継続時間の中から周期毎に行われる継続時間の選択は、周期毎の前記時間ｔ内に測定された発呼量あるいは前記連続掲載回数に基づいて行われることを特徴とする呼の設定要求の規制装置。
【請求項１１】
請求項８から１０のいずれかに記載の呼の設定要求の規制装置において、
前記規制率は、周期毎の前記時間ｔ内に測定された発呼量あるいは前記連続掲載回数に基づいて行われることを特徴とする呼の設定要求の規制装置。
【請求項１２】
請求項７から１１のいずれかに記載の呼の設定要求の規制装置において、
前記予め決められた時間ｔ内に到着する発呼量の測定の開始および終了は、呼設定サーバからの依頼により行われることを特徴とする呼の設定要求の規制装置。
【請求項１３】
コンピュータを、請求項７から１２に記載の呼の設定要求の規制装置における各手段として機能させるための呼の設定要求の規制用プログラム。
【請求項１４】
ＩＰ網におけるセッションを設定するアプリケーションの呼の設定サーバであって、
処理負荷に基づき、請求項７から１１のいずれかに記載の呼の設定要求の規制装置に対して、各発アドレス毎の発呼量の測定の依頼、測定終了の依頼を行う手段を有することを特徴とする呼設定サーバ。
【発明の詳細な説明】
【技術分野】
【０００１】
本発明は、呼の設定要求の規制技術に係り、特にVoIP（Voice over IP）網などのＩＰ網における少なくとも電話を含むセッションを設定するアプリケーションの呼の設定要求を規制する規制方法およびそのためのプログラム、ならびに呼設定サーバに関する。
【背景技術】
【０００２】
まず、従来の電話網の輻輳制御における呼設定規制について説明する。電話網における輻輳は、特定の地域または特定の加入者への着信系輻輳が大部分を占めている。そのため、輻輳制御システムは、通常、着信系輻輳を制御することを目的に作られている。
【０００３】
以下、情報通信技術ハンドブック編集委員会編「情報通信技術ハンドブック」pp.87-89（昭和６２年１２月２０日，オーム社発行）（非特許文献１）に基づいて、電話網の呼設定規制の例を説明する。
【０００４】
図７は、上記特許文献１に開示された従来の電話網の輻輳制御システムのシステム構成図である。
【０００５】
同図において、加入者輻輳に対しては、加入者線交換機（ＬＳ）で話中加入者の番号を抽出、分類することにより、輻輳加入者を検出し、中心局エリア（ＤＡ）に設置した加入者輻輳制御部に加入者番号を送出する。
【０００６】
制御部では、中心局エリア（ＤＡ）内の加入者線交換機（ＬＳ）および隣接した中心局エリア（ＤＡ）の制御部に規制加入者番号と規制率を送出する。各加入者線交換機（ＬＳ）の対地識別規制装置で、着信番号を識別し、当該加入者への呼を規制する。
【０００７】
地域輻輳に対しては、市外着信交換機（ＴＩＳ）で輻輳を検知すると、総括局エリアに設置した地域輻輳制御部に当該市外着信交換機（ＴＩＳ）の市外番号を転送する。
【０００８】
制御部は、総括局エリア内の市外発信交換機（ＴＯＳ）および他の制御部に規制市外番号と規制率を送出し、市外発信交換機（ＴＯＳ）の対地識別規制装置で当該地域への呼を規制する。
【０００９】
【非特許文献１】情報通信技術ハンドブック編集委員会編「情報通信技術ハンドブック」pp.87-89（昭和６２年１２月２０日，オーム社発行）
【発明の開示】
【発明が解決しようとする課題】
【００１０】
上記従来技術で説明した電話網の場合、問題となる輻輳は着信輻輳であり、特定端末からの大量発呼による輻輳は問題にならなかった。そのため、輻輳制御システムも着信輻輳だけに対応するように作られており、発信輻輳に対しては全く考慮されていなかった。
【００１１】
しかしながら、ＩＰ網における少なくとも電話を含むセッションを設定するアプリケーションの場合、端末の高機能化によって特定端末から大量発呼が可能となり、大量発呼が原因で輻輳を起こす可能性がある。
【００１２】
しかし、現状の電話網での輻輳システムでは、ＩＰ網と網の構造が異なるため、そのまま適用することができないばかりでなく、仮に、ＩＰ網用に作り変えたとしても発信輻輳に対処することは不可能であった。
【００１３】
大量発呼を行っている端末を規制するためには、大量発呼している端末を特定する必要がある。そして大量発呼している端末の特定には、全ての発信端末からの信号を記録しなければならない。しかし、全ての信号を記録するためには、大量のメモリが必要になるという問題がある。
【００１４】
そこで、本発明の目的は、上記問題点を解決し、大量のメモリ容量を必要としないで大量発呼している端末を特定し、そこからの呼の設定要求を規制する規制方法、規制装置および呼設定装置ならびにそのためのプログラムを提供することである。
【課題を解決するための手段】
【００１５】
本発明は、上記目的を達成するために、次のような構成を採用したものである。
（１）本発明の規制方法は、ＩＰ網におけるセッションを設定するアプリケーションの呼の設定要求の規制方法であって、複数の端末から発呼された要求に対して、予め決められた時間ｔ内に到着する発呼量を測定するステップと、該測定ステップによって測定された発呼量に基づいて、規制対象となる端末を特定するステップと、該特定された端末からの発呼を規制する規制率を決定するステップと、前記予め決められた時間ｔの後、前記決定された規制率での規制を継続する規制継続時間を決定するステップと、前記決定された規制率および規制継続時間に基づいて前記特定された端末からの発呼を規制するステップと、前記規制継続時間後に前記規制を解除するステップとを有することを特徴とする。
【００１６】
（２）また、上記において、前記規制対象となる端末を特定するステップは、予め決められた時間ｔ内に到着する呼の設定要求を発端末毎に測定し、該発端末毎の設定要求数が予め設定された閾値を越えた場合に、該発端末を特定された端末のアドレスを、連続して閾値を越えた回数（以下、連続掲載回数という）とともに規制対象リストに登録するステップであることを特徴とする。
【００１７】
（３）また、上記において、前記規制継続時間として、予め定められた一定の継続時間、あるいは、予め定められた複数個の継続時間の中から周期毎に選択された継続時間が用いられることを特徴とする。
【００１８】
（４）また、上記において、前記予め定められた複数個の継続時間の中から周期毎に行われる継続時間の選択は、周期毎の前記時間ｔ内に測定された発呼量あるいは前記連続掲載回数に基づいて行われることを特徴とする。
【００１９】
（５）さらに、上記において、前記規制率は、周期毎の前記時間ｔ内に測定された発呼量あるいは前記連続掲載回数に基づいて行われることを特徴とする。
【００２０】
（６）また、上記において、前記予め決められた時間ｔ内に到着する発呼量の測定の開始および終了は、呼設定サーバからの依頼により行われることを特徴とする。
【００２１】
（７）本発明の規制装置は、ＩＰ網におけるセッションを設定するアプリケーションの呼の設定要求の規制装置であって、複数の端末から発呼された要求に対して、予め決められた時間ｔ内に到着する発呼量を測定する測定手段と、該測定手段によって測定された発呼量に基づいて、規制対象となる端末を特定する手段と、該特定された端末からの発呼を規制する規制率を決定する手段と、前記予め決められた時間ｔの後、前記決定された規制率での規制を継続する規制継続時間を決定する手段と、前記決定された規制率および規制継続時間に基づいて前記特定された端末からの発呼を規制する手段と、前記規制継続時間後に前記規制を解除する手段とを有することを特徴とする。
【００２２】
また、上記において、前記規制対象となる端末を特定する手段は、予め決められた時間ｔ内に到着する呼の設定要求を発端末毎に測定し、該発端末毎の設定要求数が予め設定された閾値を越えた場合に、該発端末を特定された端末のアドレスを、連続して閾値を越えた回数とともに規制対象リストに登録する手段であることを特徴とする。
【００２３】
また、上記において、前記規制継続時間として、予め定められた一定の継続時間、あるいは、予め定められた複数個の継続時間の中から周期毎に選択された継続時間が用いられることを特徴とする。
【００２４】
また、上記において、前記予め定められた複数個の継続時間の中から周期毎に行われる継続時間の選択は、周期毎の前記時間ｔ内に測定された発呼量あるいは前記連続掲載回数に基づいて行われることを特徴とする。
【００２５】
また、上記において、前記規制率は、周期毎の前記時間ｔ内に測定された発呼量あるいは前記連続掲載回数に基づいて行われることを特徴とする。
【００２６】
また、上記において、前記予め決められた時間ｔ内に到着する発呼量の測定の開始および終了は、呼設定サーバからの依頼により行われることを特徴とする。
【００２７】
本発明のプログラムは、コンピュータを、上記規制装置における各手段として機能させるための呼の設定要求の規制用プログラムである。
【００２８】
本発明の呼設定サーバは、ＩＰ網におけるセッションを設定するアプリケーションの呼の設定装置であって、処理負荷に基づき、請求項７から１１のいずれかに記載の呼の設定要求の規制装置に対して、各発アドレス毎の発呼量の測定の依頼、測定終了の依頼を行うことを特徴とする。
【発明の効果】
【００２９】
本発明によれば、大量発呼を行っている端末の特定に必要なメモリとして、短時間の測定時間ｔ内に到着する呼の情報を保存するメモリと、規制対象リストに必要なメモリに抑えることができ、さらに、規制の量は、規制対象リストの連続掲載回数や発呼量などに応じて決定されるため、きめ細かい規制を行うことが可能になるという効果を奏している。
【発明を実施するための最良の形態】
【００３０】
本発明の特徴は、ＩＰ網における特定端末からの大量発信規制に関する技術において、単位時間当たりの発呼量を測定する手段と、測定した発呼量が閾値を超過している場合に、規制対象としてその発アドレスを規制対象リストに記録する手段と、規制対象リストに一定回数連続して掲載された発アドレスを呼の設定要求を規制する規制手段を具備させたものである。
以下、本発明の一実施例に係る規制方法を、図面を参照して詳細に説明する。
【実施例】
【００３１】
図１は、本実施例の呼の設定要求の規制装置のネットワークにおける位置付けを説明するための概略構成図である。
【００３２】
同図は、端末１Ａ（１１），端末２Ａ（１２），端末１Ｂ（２１），端末２Ｂ（２２）の４つの端末があり、端末１Ａ（１１）と端末２Ａ（１２）が呼設定の際に呼設定サーバＡ（１５）を、端末１Ｂ（２１）と端末２Ｂ（２２）が呼設定の際に呼設定サーバＢ（２５）を使用して呼の設定を行う場合の例である。
【００３３】
端末１Ａ（１１），端末２Ａ（１２），端末１Ｂ（２１），端末２Ｂ（２２）は、パケット通信可能な情報端末あるいは通信端末であれば如何なるものでもよいが、本図では、端末１Ａ（１１）と端末１Ｂ（２１）が電話機で、端末２Ａ（１２）と端末２Ｂ（２２）がパーソナルコンピュータ（ＰＣ）の場合を例にしている。
【００３４】
端末１Ａ（１１）または端末２Ａ（１２）から発せられたパケットは、ルータ（１３）を経由してＩＰ網（２０）内を転送される。呼設定が必要なアプリケーションは、呼設定確立のためのパケットが呼設定サーバＡ（１５）に届けられ、該呼設定サーバＡ（１５）により呼設定が行われる。
【００３５】
一方、端末１Ｂ（２１）または端末２Ｂ（２２）から発せられたパケットは、ルータ（２３）を経由してＩＰ網（２０）内を転送される。呼設定が必要なアプリケーションは、呼設定確立のためのパケットが呼設定サーバＢ（２５）に届けられ、該呼設定サーバＢ（２５）により呼設定が行われる。
【００３６】
本発明に係る規制装置は、各呼設定サーバそれぞれに対応して設けら、この規制装置により本発明の特徴である発信規制が行われる。
【００３７】
図１では、呼設定サーバＡ（１５）に対応して規制装置Ａ（１４）が設けられ、呼設定サーバＢ（２５）に対応して規制装置Ｂ（２４）が設けられていて、規制装置が呼設定サーバとは別装置になっているが、規制装置を呼設定サーバの１モジュールとして実現、すなわち規制装置を呼設定サーバの内部構成として実現する形態も可能である。
【００３８】
図３は、規制装置３０（すなわち図２の規制装置Ａ（１４）あるいは規制装置Ｂ（２４）に対応）のブロック構成図である。
【００３９】
同図に示すように、規制装置３０は、呼設定サーバ４０に接続され（上述したように規制装置は呼設定サーバの一部として内部に組みこまれていてよい）、測定部３１、規制対象リスト作成・更新部３２、制御部３３、規制実施部３４から構成されている。
【００４０】
規制装置３０の機能の概要を述べると、測定部３１で単位時間当たりの呼設定確立のためのパケットの発呼量を測定し、規制対象リスト作成・更新部３２で前記測定した発呼量が閾値を超過している場合に、規制対象としてその発アドレスを規制対象リストに記録更新し、規制実施部３４で規制対象リストに一定回数連続して掲載された発アドレスからの呼設定要求を規制するようにしたものである。
【００４１】
本発明に係る規制装置３０は、ＣＰＵ、メモリ、外部記憶装置（ハードディスク装置など）、表示装置などのハードウェアからなる通常のコンピュータ構成（コンピュータのハードウェア構成は図３では省略）を有しており、測定部３１、規制対象リスト作成・更新部３２、制御部３３、規制実施部３４などは、対応するプログラムをＣＰＵで実行することにより実現される。
【００４２】
なお、規制装置３０が呼設定サーバの一部として内部に組みこまれる場合は、呼設定サーバのＣＰＵやメモリを用いて測定部３１、規制対象リスト作成・更新部３２、制御部３３、規制実施部３４などに対応するプログラムが実行されることはいうまでもない。これらのプログラムは、後述するように、ＣＤ−ＲＯＭ，ＤＶＤ，ＦＤなどの記録媒体やインターネットなどのネットワークを介して呼設定サーバや規制装置を構成するコンピュータにインストールすることが可能である。
【００４３】
図４は、本発明に係る規制装置３０が行う呼設定要求の規制方法の一処理動作例を示すフローチャートである。以下、図４のフローチャートに沿って、規制装置における一処理動作例を説明する。
【００４４】
今、端末１Ａ（１１）から大量発呼がなされている状況を考える。
このとき、端末２Ａ（１２）から呼設定確立のためのパケットが大量にネットワーク内に送出されるとする。この呼設定確立のためのパケットは、規制装置Ａ（１４）を経由して呼設定サーバＡ（１５）に届けられる。呼設定サーバＡ（１５）は処理負荷を判定し、それが予め決められた値より大きいと判断した場合に規制装置Ａ（１４）に対して呼設定確立のためのパケット数（発呼量）の測定開始依頼を行う。
【００４５】
呼設定サーバＡ（１５）から規制装置Ａ（１４）（より詳しくは図３の制御部３３）に測定開始依頼があると（図４のステップＳ１）、規制装置Ａは規制対象リスト作成・更新部３２によって規制対象リストの連続掲載回数を０として初期化を行う（図４のステップＳ２）。
【００４６】
次に、図３の測定部３１において、時間ｔだけ測定を行い、その間に到着した呼設定確立のためのパケットを各発アドレス毎に計数し（図４のステップＳ３；特許請求の範囲の発呼量を測定するステップあるいは手段に相当）、発アドレス毎に計数したパケット数が予め決められた閾値を越えていなければ（図４のステップＳ４：Ｎ）、その発アドレスは規制対象リストには加えず廃棄して（図４のステップＳ６）、ステップＳ１０の処理に進み、呼設定サーバから測定終了依頼がなければ（ステップＳ１０：Ｎ）、図４のステップＳ３の処理に戻り、測定終了依頼があれば（ステップＳ１０：Ｙ）、処理を終了する。ステップＳ４の判断は、制御部３３で行ってもよいし規制対象リスト作成・更新部３２で行ってもよい。
【００４７】
一方、もし、発アドレス毎に計数したパケット数が予め決められた閾値を越えていれば（ステップＳ４：Ｙ）、図３の規制対象リスト作成・更新部３２において、その発アドレスが規制対象リストになければ加え、さらに、規制対象リストに既にそのアドレスが有る無しに関わらず、連続掲載回数を１加算する（図４のステップＳ５；特許請求の範囲の規制対象となる端末を特定するステップあるいは手段に相当）。
【００４８】
次に、図３の規制対象リスト作成・更新部３２において、規制対象リスト内の発アドレスで、今回の測定時間ｔ内で観測されなかった発アドレスがあれば、規制対象リストから削除する（図４のステップＳ７）。図５は、本発明に係る規制対象リストの一例を示す図である。
【００４９】
次に、図３の規制実施部３４において、規制対象リストに基づいて規制を開始する（図４のステップＳ８：特許請求の範囲の規制するステップあるいは手段に相当）。
【００５０】
なお、規制の仕方は、連続掲載回数の大小に応じて、規制継続時間を決定する。また、測定時間ｔ内に到着した呼設定確立のためのパケット数に応じて規制率（到着した呼設定確立のためのパケットを規制する割合）を決定してもよい。すなわち、連続掲載回数が多い場合に規制継続時間Ｔを大きくし、呼設定確立のためのパケット数が多い場合に規制率Ｒを大きくするなどである。
【００５１】
図６は、上記規制の仕方を説明するための図であり、同図（ａ）は、連続掲載回数の大きさ対して決められる規制継続時間Ｔの一例を示し、同図（ｂ）は、測定時間ｔ内に到着した呼設定確立のためのパケット数に対して決められる規制率の一例を示している。図６では、連続掲載回数の大きさ（同図（ａ）参照）および測定時間ｔ内に到着した呼設定確立のためのパケット数（同図（ｂ）参照）を３段階にした例を示しているが、何段階にするかは任意である。
【００５２】
なお、図６（ａ）の例は、規制継続時間が連続掲載回数に基づいて決められる例であるが、測定時間ｔ内に到着した呼設定確立のためのパケット数によって決めるするようにしてもよい。
【００５３】
また、図６（ｂ）の例は、規制率が測定時間ｔ内に到着した呼設定確立のためのパケット数によって決められる例であるが、連続掲載回数に基づいて決めるようにしてもよい。
【００５４】
さらに、規制継続時間と規制率の両方を、測定時間ｔ内に到着した呼設定確立のためのパケット数と連続掲載回数の所定の組み合わせによって決めるようにしてもよい（以上、特許請求の範囲の規制率を決定するステップあるいは手段、および規制継続時間を決定するステップあるいは手段に相当）。
【００５５】
測定終了後、Ｔ時間経過したかを判定する（図４のステップＳ９）。ここで、Ｔは一定にしてもよいし、変動させてもよい。
【００５６】
Ｔを一定にした場合、実装（構成）は簡単になるが、端末側がこの一定時間Ｔを前提にし、意図的にタイミングを変えて呼設定確立のためのパケットを発生させた場合には、測定時間ｔ内で発アドレスを観測することができなくなり、規制がかからないようにされる可能性がある。
【００５７】
一方、Ｔを変動させるようにした場合は、実装（構成）は複雑になるが、先に指摘した測定時間ｔ内に発アドレスを観測することができないという可能性を低くすることができる利点がある。
【００５８】
Ｔ時間経過しても呼設定サーバから測定終了依頼がなければ（ステップＳ９：Ｙ，ステップＳ１０：Ｎ）、図４のステップＳ３の処理に戻り、測定終了依頼があれば（ステップＳ１０：Ｙ）、処理を終了する（以上、特許請求の範囲の請求項６，１２に相当）。
【００５９】
なお、本発明では、呼設定サーバからの依頼により規制装置３４で測定を開始し、呼設定サーバからの測定終了依頼によって規制装置での測定を終了させているが、呼設定サーバからの依頼無しに、常時、規制装置３４で測定を行う形態も可能である。
【００６０】
その場合、規制は、予め決められた規制継続時間が経過し、その後、さらなる規制継続がなければ自動的に規制を解除することとなる（以上、特許請求の範囲の規制を解除するステップあるいは手段に相当）。
【００６１】
これにより、呼設定サーバからの測定開始依頼、測定終了依頼がなく、常時測定の場合にも、端末からの大量発呼が停止することにより、自動的に規制が解除されることになる。
【００６２】
また、本発明に係る規制装置３０における測定部３１、規制対象リスト作成・更新部３２、制御部３３、規制実施部３４によって行われる図４のフローチャートに示した各処理は、対応するプログラムをＣＰＵで実行することにより行われる。このプログラムは、図４のフローチャートに示す処理をプログラムコード化したものであり、ＣＤ−ＲＯＭ、ＤＶＤ、ＦＤなどの記録媒体に格納して配布したり、インターネットなどのネットワークを介してユーザに配布することにより普及することができる。
【図面の簡単な説明】
【００６３】
【図１】本発明の呼の設定要求の規制装置の位置付けを説明するための概略構成図である。
【図２】本発明に係る大量発呼端末の特定のための測定概念図である。
【図３】本発明に係る呼の設定要求の規制装置のブロック図である。
【図４】本発明に係る呼の設定要求の規制方法の一処理動作例を示すフローチャートである。
【図５】本発明に係る規制対象リストの一例を示す図である。
【図６】本発明に係る規制の仕方を説明するための図である。
【図７】従来の電話網の輻輳設定システムを説明するための図である。
【符号の説明】
【００６４】
１１：端末１Ａ
１２：端末２Ａ
１３：ルータ
１４：規制装置Ａ
１５：呼設定サーバＡ
２０：ＩＰ網
２１：端末１Ｂ
２２：端末２Ｂ
２３：ルータ
２４：規制装置Ｂ
２５：呼設定サーバＢ
３０：規制装置
３１：測定部
３２：規制対象リスト作成・更新部
３３：設定部
３４：規制実施部
４０：呼設定サーバ
【図１】
2006114961.tif 000003
【図２】
2006114961.tif 000004
【図３】
2006114961.tif 000005
【図４】
2006114961.tif 000006
【図５】
2006114961.tif 000007
【図６】
2006114961.tif 000008
【図７】
2006114961.tif 000009